(57)【特許請求の範囲】
【請求項１】
ゴルフクラブヘッドであって、
打撃フェースと、
前記打撃フェースに結合された本体であって、
クラウンと、
前記クラウンに対して略対向する関係で配置されたソールと、
前記打撃フェースから離れて延在するバックと、を有し、
前記打撃フェース及び前記本体は、全体として中空内部チャンバーを画定する、
本体と、
完全に前記内部チャンバー内に配置されたウェイトと、
前記本体及び前記ウェイトに結合され、前記内部チャンバー内で前記ウェイトを３つの軸に沿うような調整を可能にする調整機構と、
を備え、
前記調整機構は、前記ウェイトに接続されたボールインソケット継手を備える、
ゴルフクラブヘッド。
【請求項２】
前記ボールインソケット継手に接続されたスリーブと、前記スリーブ内で軸方向に受取られ、前記ウェイトに接続されたアームとを更に備える、
請求項１に記載のゴルフクラブヘッド。
【請求項３】
前記スリーブは、前記アーム上の雄ねじにかみ合う雌ねじを備える、
請求項２に記載のゴルフクラブヘッド。
【請求項４】
前記ボールインソケット継手はボールを備え、該ボールは、前記スリーブ内に形成された対応するチャネルに連なって通じる、前記ボールを貫通するチャネルを有する、
請求項３に記載のゴルフクラブヘッド。
【請求項５】
前記ボールインソケット継手はボール及びソケットを備え、該ボール及び該ソケットは、嵌合方式で互いに係合するようになっている複数の相補的な戻り止め部及び突出部を有する、
請求項１に記載のゴルフクラブヘッド。
【請求項６】
前記ソケットは、前記ボールに対して偏倚される、
請求項５に記載のゴルフクラブヘッド。
【請求項７】
前記調整機構が前記本体に対して固定位置をとることを可能にするようになっている締付け機能を更に備える、
請求項１に記載のゴルフクラブヘッド。
【請求項８】
前記本体と連なり、前記内部チャンバー内での前記調整可能なウェイトの観察を可能にするように構成される窓を更に備える、
請求項１に記載のゴルフクラブヘッド。
【請求項９】
前記窓上に少なくとも２つの目印を更に備え、該少なくとも２つの目印のそれぞれは、前記ゴルフクラブヘッドの重心の位置を示す、
請求項８に記載のゴルフクラブヘッド。
【請求項１０】
前記ウェイトは、前記内部チャンバー内で該ウェイトの位置に関連する電子信号を生成し放出するように構成されるセンサーを更に備える、
請求項１に記載のゴルフクラブヘッド。
【請求項１１】
前記調整機構は、前記本体内に形成された開口を通して外部からアクセス可能である、
請求項１に記載のゴルフクラブヘッド。
【請求項１２】
ゴルフクラブヘッドであって、
打撃フェースと、
前記打撃フェースに結合された本体であって、
クラウンと、
前記クラウンに対して略対向する関係で配置されたソールと、
前記打撃フェースから離れて延在するバックと、を有し、
前記打撃フェース及び前記本体は、全体として中空内部チャンバーを画定する、
本体と、
完全に前記内部チャンバー内に配置されたウェイトと、
前記本体及び前記ウェイトに結合され、前記内部チャンバー内で前記ウェイトを３つの軸に沿うような調整を可能にする調整機構と、
を備え、
前記調整機構は、前記本体と前記ウェイトとの間で延びる少なくとも２つの調整可能ストラットを含むことで、３つの離散的な軸に沿う前記ウェイトの調整が可能に構成される、
ゴルフクラブヘッド。
【発明の詳細な説明】
【技術分野】
【０００１】
本開示は、包括的には、ゴルフクラブに関し、より詳細には、ユーザのスイング特性に基づいてクラブヘッドの構造的特性をカスタマイズするための調整可能な内部ウェイトを含むゴルフクラブヘッドに関する。
【背景技術】
【０００２】
ゴルフクラブヘッドの構造的特性がゴルフクラブの総合的性能に著しい影響を及ぼすことが理解される。したがって、ゴルフクラブを設計するとき、構造的特徴、例えば、ほんの数例を挙げると、クラブヘッドの総重量及び重心に慎重な考慮が払われる。従来のクラブヘッドは、固定された構造的特性を有する。すなわち、重量及び重心を変更することができない。したがって、ほとんどのクラブヘッドは、定義済みのスイング特性に基づいて性能を最大にするように設計される。しかしながら、全てのゴルファーが、同じスイング特性、特に、個々のクラブヘッドの性能を最大にするスイング特性を有するわけではない。例えば、あるゴルファーは、クラブヘッドの重心を前方位置に移動させることによって利益を得ることになるスイング特性を有する場合があり、一方、別のゴルファーは、クラブヘッドに、より後方位置に位置する重心を持たせることによって利益を得ることになるスイング特性を有する場合がある。
【０００３】
クラブヘッドの構造的特性と特定のユーザによるクラブの性能との間の相関関係を考慮して、種々のクラブ製造業者は、クラブの構造的特性に対して或る程度の調整性を可能にするクラブヘッドを設計する幾つかの試みを行ってきた。例えば、クラブの重量分布及び対応する重心を調整するためのウェイト付きインサートを受取るようになっている幾つかのクラブヘッドが開発されてきた。より重い又はより軽いインサートを互いに交換して、ユーザのスイングに基づいてクラブの性能を最大にするようクラブの構造的特性を適合させることができる。幾つかの既存のクラブヘッドに組込まれる別の調整可能な特徴は、対応するねじ付きシャフトに沿ってクラブヘッドに結合されるねじ付きウェイトである。シャフトに対してウェイトを回転させることによって、ウェイトの位置を一方向に調整することができる。他のクラブヘッド設計では、外部に位置するスロットを含み、外部に位置するスロットは、ここでも一方向に、スロット内でかつスロットに沿って選択的に位置決め可能であるウェイトを受取るようになっている。
【発明の概要】
【発明が解決しようとする課題】
【０００４】
クラブの構造的適合性を向上させる既存の特徴は、固定された構造的特性を有する従来のクラブヘッドに勝る改善点であるが、既存の特徴に関連する幾つかの欠点が存在する。１つの重大な欠点は、ほとんどの構造的調整性特徴が、１つ若しくは２つの軸に沿う調整又は単一平面内の調整に制限されることである。単一平面内の調整では、ウェイトの移動可能な範囲は大きく制限され、これにより、当該調整がクラブの性能に与え得る対応の効果も大幅に制限される。外部に位置する調整可能な特徴に一般に関連する別の欠点は、ゴルフクラブを使用する通常の過程において、調整可能な特徴が容易に破損する場合があることである。例えば、ゴルファーが、意図せずに地面を打撃した場合、ウェイトが破損する場合があり、又は、泥がクラブ、ウェイト、又はウェイトポートに入り、ウェイトのその後の調整を妨げる場合がある。
【０００５】
当該技術分野における上記の欠点を考慮して、ウェイトの全体範囲を高めるため、単一平面又は単一軸を超えて調整可能である調整可能ウェイトを有するクラブヘッドが必要性とされている。
【課題を解決するための手段】
【０００６】
本開示の種々の態様は、クラブヘッド内に収容され、３つの軸に沿って、すなわち、３次元で調整可能なウェイトを有するゴルフクラブヘッドを対象とする。３つの軸に沿ってウェイトを調整する能力は、単一平面内の又は単一軸に沿う運動に限定される調整機構を含む場合がある従来のクラブに対して、クラブの総合性能調整の有意な向上を可能にする。
【０００７】
１つの実施形態によれば、ゴルフクラブヘッドは、打撃フェースと、打撃フェースに結合される本体とを備える。本体は、クラウンと、クラウンに対して全体的に対向する関係で配置されたソールと、打撃フェースから離れて延びるバックとを備える。打撃フェース及び本体は、全体として中空内部チャンバーを画定する。ウェイトは完全に内部チャンバー内に配置される。調整機構は、本体及びウェイトに結合され、３つの軸に沿うようなウェイトの調整を可能にする。
【０００８】
ゴルフクラブヘッドは、窓を更に備えることができ、この窓は、本体に連なり、内部チャンバー内での調整可能ウェイトの観察を可能にするように構成される。窓上に少なくとも２つの目印を形成することができ、少なくとも２つの目印のそれぞれは、ゴルフクラブヘッドの重心の位置を示す。
【０００９】
調整機構は、本体内に形成された開口を通して外部からアクセス可能である。調整機構は、ウェイトに接続されたボールインソケット継手（ball-in-socket joint）を備えることができる。ウェイトは、スリーブ内でスライド可能に又はねじ込み式に位置決めされ得るアーム上に位置決めすることができる。この位置決めにより、１つの軸に沿ってウェイトを軸方向に調整することが可能になる。ボールインソケット継手は、ボールを備えることができ、ボールは、スリーブ内に形成された対応するチャネルに連なって通じる、このボールを貫通するチャネルを有する。ボールインソケット継手は、ボール及びソケットを備えることができ、ボール及びソケットは、嵌合方式で互いにかみ合うようになっている複数の相補的な戻り止め部及び突出部を備える。ソケットは、ボールに対して偏倚することができる。スリーブは、ボールインソケット継手に接続することができ、アームは、スリーブ内で軸方向に受取られ、ウェイトに接続されることができる。スリーブは、アーム上の雄ねじにかみ合う雌ねじを備えることができる。
【００１０】
ゴルフクラブヘッドは、調整機構が本体に対して固定位置をとることを可能にするようになっている締付け機能を更に備えることができる。
【００１１】
ゴルフクラブヘッドは、センサーを更に備えることができ、このセンサーは、ウェイトに結合されるか又はウェイト内に配置され、内部チャンバー内でウェイトの位置に関連する電子信号を生成し放出するように構成される。
【００１２】
調整機構は、本体とウェイトとの間で延びる少なくとも２つの調整可能ストラットを含むことができる。
【００１３】
別の実施形態によると、ゴルフクラブを作製する方法が提供される。本方法は、カスタマイズされたゴルフクラブヘッドを作製する要求を受信することを含み、この要求は、予め定義された位置において、完全に、カスタマイズされたゴルフクラブヘッドの中空内部チャンバー内にウェイトを位置決めする命令を含む。予め定義された位置は、フェース−バック座標、ソール−クラウン座標、及びヒール−トウ座標を含む３つの座標を含む。３つの座標は、フィッティング作業を介して前もって確定されており、フィッティング作業中には、フィッティング用クラブの中空内部チャンバー内に完全に配置され、かつソール−クラウン方向、フェース−バック方向、及びフィッティング用クラブのフェースに沿う方向に調整可能な調整可能ウェイトは、当該調整可能ウェイトの好ましい位置を確定するように調整される。本方法は、予め定義された位置にウェイトを位置決めすることによってカスタマイズされたゴルフクラブヘッドを作製することを更に含む。
【００１４】
当該作製するステップは、内部チャンバー内にウェイトを固定することを含むことができる。ウェイトを固定するステップは、ゴルフクラブヘッドの内壁にウェイトを永久的に固定することを含むことができる。２つのストラットによって内部チャンバー内にウェイトを固定することもできる。
【００１５】
ウェイトは所定の質量とすることができ、所定の質量は、フィッティング作業を介して前もって確定されている。
【００１６】
上述した種々の例示的な態様は、個々に又は種々の組合せで実装することができる。その種々の態様における、また、種々の例のうちの１つ又は複数によって立証される、本開示によるゴルフクラブヘッドのこれらの及び他の特徴並びに利点は、後続の説明、添付図面、及び添付の特許請求の範囲を考慮した後に明らかになる。
【００１７】
以下に記載する図面は、例証だけのためのものであり、本発明の範囲をいずれの点でも制限することを意図しない。例示的な実装態様は、ここで、添付図面を参照して述べられる。
【図面の簡単な説明】
【００１８】
【図１】調整可能な内部ウェイトを有するゴルフクラブヘッドの第１の実施形態の底面図である。
【図２】図１のゴルフクラブヘッドの部分切欠き側面図である。
【図３】図１及び図２に示すゴルフクラブヘッド内に統合され得る調整機構の部分断面図である。
【図４】調整可能な内部ウェイトを有するゴルフクラブヘッドの第２の実施形態の側断面図である。
【図５】図４のゴルフクラブヘッドの水平断面図である。
【発明を実施するための形態】
【００１９】
共通の参照番号は、図面及び詳細な説明全体にわたって使用されて、類似の要素を示す。
【００２０】
ここで図面を参照する。図面において、図示されるものは、本開示の種々の態様を示すためのものにすぎず、本開示を制限するためのものではない。図１及び図２において、全体的に１０であるゴルフクラブヘッドを備える開示の態様が示され、このゴルフクラブヘッドは、外部表面、及び、ゴルフボール（図示せず）をそれによって打撃する打撃フェース１２を備える構造を含むことができる。クラブヘッド本体１３は、打撃フェース１２に結合され、一般に、アドレスするときに地面上に又は地面の近くに載置することができるソール部分１４と、フェース１２及びソール部分１４に接続された全体的に周辺のスカート部分１５とを含む。スカート部分１５は、当技術分野で知られているように、バック部分１６、クラウン部分１８、ホーゼル１９、及び中空内部チャンバー２０を備える内部部分を含む。当技術分野で同様に知られているように、打撃フェース１２、クラブヘッド本体１３、ソール部分１４、スカート部分１５、及びバック部分１６を含むゴルフクラブヘッド１０の種々の構成要素は、溶接、接着剤の使用、ねじの使用等のような、公知の取付け技法を使用して結合され得る別個の構成要素とすることができる。さらに又は代替的には、構成要素のうちの１つ又は複数を、一体ピースとして、すなわち、同様に公知の、鋳造、鍛造、成形等によって作製することができる。
【００２１】
図１〜図２に示す開示の態様において、ゴルフクラブヘッド１０は、ウェイト３０を備えることができ、ウェイト３０は、従来のゴルフクラブヘッドの内部に位置決めされる場合、当該ウェイト３０が、通常、可視でないか又は調整可能でないように、完全に内部チャンバー２０内に配置することができる。ウェイト３０は、例として、チタン、鋼、アルミニウム、鉛、及び他の金属、並びにその合金、セラミック、樹脂、石、コンクリート等を含む任意のゴルフクラブ加重材料で作製することができる。図１及び図２に示すウェイト３０は一般的に球形であり得るが、他の形状（例えば、直線、長円、台形、円錐、立方等）が、当然ながら可能であり、本開示によって企図される。しかしながら、球形ウェイト３０は特に有利であり得る。その理由は、球形ウェイト３０が、本明細書の教示を組込むと、以降で述べるようにゴルフクラブヘッドの重心、すなわち「ＣＧ」のより正確な調整を可能にすることができるからである。
【００２２】
図１及び図２に更に示すように、ウェイト３０は、ねじ山付きであり得るアーム３２を備え得る調整機構に接続することができる。アーム３２は、スリーブ３４内でスライド可能に受取られることができ、スリーブ３４は、同様にねじ山を付けられて、時計方向又は反時計方向のそれぞれの方向にアーム３２が回転すると、スリーブ３４に入る／から出るように当該アーム３２がねじ込まれることを可能にすることができる。図示するように、アーム３２及び／又はスリーブ３４は、ウェイト３０が、ソール−クラウン方向、すなわち「Ｓ−Ｃ」に、フェース−バック方向、すなわち「Ｆ−Ｂ」に、及び、全体的にフェースに沿う方向、例えば、ヒール−トウ方向、すなわち「Ｈ−Ｔ」に選択的に調整可能であることを可能にすることができる。図２に示すように、ウェイト３０は、例えば、ボール３６を介して複数の方向に調整することができる。ボール３６は、スリーブ３４の遠位端に位置決めすることができ、また、１つ又は複数のソケットアーム４５を有し、一態様において、協働するソケットアーム４５の対を有するソケット３８内で捕捉することができる。ソケット３８は、１つ又は複数のソケットアーム４５として示されるが、クラブヘッド本体１３の一部として一体的に形成されるソケット３８を備えることもできる。さらに又は代替的に、ソケット３８は、例えば溶接によって、ゴルフクラブヘッド１０の内部表面３９に接続することができる。図２において最もよく見られるように、ボール３６は、クラブヘッド１０の外部からアクセス可能とすることができ、ボール３６の少なくとも一部分は、ゴルフクラブヘッド１０内の、例えば、ソール１４又はスカート１５内の開口３７を通してアクセス可能である。この態様では、ボール３６及びソケット３８は、ピボットを備えることができ、ピボットは、クラブヘッド１０の内壁によって画定される、内部チャンバー２０内のウェイト３０、スリーブ３４、及び／又はボール３６の可動範囲のみによって制限される内部チャンバー２０内の実質的に任意の所望の位置に、スリーブ３４、アーム３２、及び／又はウェイト３０が調整されることを可能にする。
【００２３】
図１及び図２に更に示すように、ボール３６は、スリーブ３４内のチャネル４２に連なって通じ得る、ボール３６を貫通するチャネル４０を備えることができる。ボール３６内のチャネル４０は、調整アーム４７を有する全体的に４１である調整ツールがウェイト３０を調整するために使用されることを可能にすることができる。この態様において、調整ツール４１の調整アーム４７は、チャネル４０の内部に位置決めされ、ソケット３８内でボール３６を旋回させることによって内部チャンバー２０内の任意の所望の位置にウェイト３０を移動するよう操作され得る。所望の位置が達成されると、ウェイト３０は、例えば、ボール４０及び／又はソケット３８をきつく締めるねじ４４を使用して所定の場所に固定することができる。図１に示す実施形態では、ねじ４４は、ソケット３８に対してきつく締められて、ボール４０に当たってソケット３８を圧迫し、それにより、ソケット３８に対してボール４０の位置を固定するものとして示される。内部チャンバー２０内でウェイト３０を移動させるためにソケット３８に対してボール４０の位置を調整するため、ねじ４４は、第１の回転方向に回転されて、ソケット３８とボール４０との間のかみ合わせを緩めることができる。ウェイト３０が所望の位置になると、ねじ４４は、第２の回転方向（第１の回転方向と反対）に回転されて、もう一度、ボール４０をきつく締めることができる。ねじ４４は、ソール１４、又はゴルフクラブヘッド１０の他の外部表面、例えばスカート１５上に位置決めされた凹所４６内に存在することができ、ねじ４４のシャフトは、クラブヘッド１０にねじ込み式にかみ合わせることができる。調整に続いて、ウェイト３０を固定位置に固定する他の締付け機構、例えば、自転車ホイール固定用クランプ上に見出されるような、楕円カム又は他のプレス嵌合／摩擦嵌合クランプを使用する他の締付け機構を使用することができる。実際には、ゴルフクラブヘッド内の内部配置式ウェイトのこのタイプの旋回調整及びこれに続く、ゴルフクラブヘッド内の所望の位置へのウェイトの固定を可能にするように適合される任意の締付け又は他の固定機構が、本開示の範囲内で企図される。
【００２４】
図１及び図２に更に示すように、調整ツールは、六角星（sixpointed）ヘッド、正方形ヘッド、六角形ヘッド、フィリップスヘッド、マイナスドライバー、又は、アーム３２内で雌ソケット又はスロット４９と嵌合するように構成される他のキー付き雄端４８を備え、調整ツール４１が、アーム３２を回転式に回し、それにより、ねじ山付きスリーブ３４に入る／から出るようにアームをねじ込むことを可能にして、スリーブ３４の軸に沿う、この場合、全体的に図２に示すフェース−バック方向Ｆ−Ｂへの調整を可能にすることができる。
【００２５】
図３に示すように、ボール３６は、ソケット３８内で対応する突出部５１及び／又は窪み部５３にそれぞれ嵌合するように構成される、複数の窪み部５０及び／又は突出部５２を含むことができる。こうした嵌合は、ソケット３８をボール３６に対して偏倚させることによって更に達成される。この偏倚は、ねじ４４又は他の締付け／係止機構が締め付けられるまで、ソケット３８内でのボール３６の再位置決め及びボール３６の一時的な固定を可能にする。窪み部５０及び／又は５３とそれぞれの突出部５１及び／又は５２との嵌合は、ソケット３８内でボール３６を更に固定することができ、この固定は、ゴルフクラブヘッド１０がゴルフボールを打つために使用されるときに重要である場合がある。そのスイング中、クラブヘッド１０は、１時間につき１００マイルを超えるクラブヘッド速度を達成する場合があり、その結果、ウェイト３０、アーム３２、スリーブ３４、ボール３６、及びソケット３８はかなりの荷重の力を受ける。したがって、全てのこうした構成要素は、こうしたスイング速度及びそれによりゴルフボールとのインパクトにおいて生成される力に耐えるのに十分な強度、剛性、及び係止力を持つように設計されることを必要とする。
【００２６】
図１及び図２に更に示すように、ゴルフボールヘッド１０は、実質的に透明な窓６０を備えることができ、窓６０は、例えば、ウェイト３０がクラブヘッド１０内で観察されることを可能にするため、耐衝撃性ポリマー又はバリスティックグレードガラスで作製することができる。透明窓６０は、接着剤又は当技術分野で知られている他の締結技法を介してクラブヘッド１０の本体１３に取付けることができる。窓６０を通したウェイト３０の観察は、例えば、ウェイト３０がクラブヘッド１０内の所望の位置により正確に位置付けられることを可能にするために有利であるとすることができる。こうした位置決めを可能にするため、クラブヘッド１０は、クラブヘッド１０の外部の外部目印６２、及び／又は、窓６０を通して観察可能なクラブヘッド１０の内壁上の内部目印６４を含むことができる。こうした目印６２、６４は、例えば、ウェイト３０が調整可能であり得る方向に沿って、例えば、ソール−クラウン方向Ｓ−Ｃに、フェース−バック方向Ｆ−Ｂに、及び、全体的にフェースに沿う方向、例えば、ヒール−トウ方向Ｈ−Ｔに実質的に位置決めすることができる。図示するように、こうした目印６２、６４はまた、指令のための指令キュー６６、６８、図１の例では、それぞれ、用語「フェード（Ｆａｄｅ）」及び「ドロー（Ｄｒａｗ）」を含むことができ、用語「フェード」及び「ドロー」は、一般に、打撃されたゴルフボールのより高いフェード又はドローを達成するために調整可能ウェイト３０が移動されるべき方向に対応する。例えば調整可能ウェイト３０をＳ−Ｃ方向に移動させることによってより高いスピンを達成するための、及び、例えば調整可能ウェイトをＦ−Ｂ方向に移動させることによってより高い打ち出しを達成するための同様な目印及び指令キューが図２に示される。
【００２７】
図１及び図２に同様に示すように、ゴルフクラブヘッド１０の重心ＣＧは、小さな円、ドット、又は他のポイントインジケーター７０によって、ゴルフクラブヘッド１０の外部、例えば窓６０上に示すことができる。重心ＣＧは、好ましくは、少なくとも２つのポイントインジケーター７０によって示される。少なくとも２つのポイントインジケーター７０はそれぞれ、異なる複数の観察方向、好ましくは実質的に互いに垂直の複数の観察方向それぞれにおいて、窓６０を通る仮想ラインに沿って位置決めされ、３次元空間内での重心の可視化を可能にする。複数のポイントインジケーター７０は、任意選択的に又は追加的に、内壁７２がそれを通して観察される観察窓３０に対向してゴルフクラブヘッド１０の内壁７２上に位置決めすることができる。図１及び図２の例では、窓３０（複数の窓である場合もある）は、ソール−クラウン方向（図１）とヒール−トウ方向（図２）との両方の方向において内部チャンバー２０内への観察を可能にする単一ピースとして示される。図示するように、ウェイト３０はまた、異なるビューを通して観察可能な１つ又は複数のポイントインジケーター７４、７６を備えることができ、例えば、インジケーター７４は、ソール−クラウン方向にウェイト３０を観察するときに見られ、インジケーター７６は、ヒール−トウ方向にウェイト３０を観察するときに見られる。ここで、他の観察方向及びそれら他の観察方向を達成するための窓が当然ながら可能である。それらの観察方向及び窓は、クラウン−ソール方向、バック−フェース方向、トウーヒール方向の観察を含み、または、ゴルフボールとの衝撃に耐えるのに十分な強度及び耐久性の透明フェース１２、例えば防弾ガラスで作製されたフェース１２が使用される場合、フェース−バック方向の観察を更に含む。
【００２８】
本発明の一態様によれば、クラブヘッド１０内のウェイト３０の相対的位置を確定するための位置センサー８０がウェイト３０内に埋め込まれる。特に、センサー８０は、位置信号を放出することができ、その位置信号は、リモート受信機によって受信され、解析されて、ウェイト３０内でのセンサー８０の精密な位置を確定することができる。リモート受信機は、センサー８０から信号を受信し、信号を解析して、位置情報を確定することが可能な任意のデバイスとすることができる。リモート受信機は、パーソナルコンピュータ（例えば、ラップトップ又はデスクトップ）、タブレットコンピュータ（例えば、ｉＰａｄ（商標））、スマートフォン、又は当業者によって知られている他のコンピューティングデバイスを含むことができることが企図される。リモート受信機によって受信される情報は、従来の位置検出プログラム、ソフトウェア、アルゴリズム等に従って解析されて、センサー８０から受信される信号に基づいてウェイト３０の位置を確定することができる。例えば、リモート受信機によって実施される解析は、セルフォンの位置を識別するために一般に使用される技法等の従来の三角測量（triangulation）技法を使用することができる。この点に関して、位置センサー８０は、ゴルフクラブヘッド１０内のウェイト３０の相対的位置を確定するために使用することができるだけでなく、例えばSwingbyte,Inc.社から現在市販されているようなセンサー及び他のセンサーも備えることができ、そのセンサーは、こうした会社から同様に入手可能なソフトウェアを使用して、例えばフィッティング作業中に、ゴルファーのスイング速度、アタック角度、スイング平面等を確定するために使用することができる。実際には、こうしたセンサーは、有利には、本明細書で述べる調整特徴を使用することなく、フィッティング用ゴルフクラブヘッド内で位置決め及び固定することができる。
【００２９】
ここで図４及び図５を参照すると、ゴルフクラブヘッド１１０によって画定される中空内部チャンバー２０内に完全に収容された内部ウェイト１３０を有する第２の実施形態のゴルフクラブヘッド１１０が示される。図４及び図５に示すゴルフクラブヘッド１１０と図１及び図２に示すゴルフクラブヘッド１０との間の主要な相違は、以下でより詳細に述べるように、内部ウェイトの支持及び調整にある。
【００３０】
ゴルフクラブヘッド１１０は、上記でより詳細に述べたように、内部チャンバー２０を全体として画定する打撃フェース１２及びクラブヘッド本体１３を含む。ウェイト１３０は、従来のゴルフクラブヘッドの内部に位置決めされる場合、ウェイト１３０が、通常、可視でないか又は調整可能でないように、内部チャンバー２０内に配置することができる。ウェイト１３０は、例として、チタン、鋼、アルミニウム、鉛、及び他の金属、並びにその合金、セラミック、樹脂、石、コンクリート等を含む任意のゴルフクラブ加重材料で作製することができる。図４及び図５に示すウェイト１３０は四角形断面を画定する六面体であるが、他の形状（例えば、球形、長円、台形、円錐、立方等）が、当然ながら可能であり、本開示によって企図される。
【００３１】
図４及び図５に更に示すように、ウェイト１３０は、調整可能ストラット１３２及び弾性バンド又はばね１３４の組合せを含み得る調整可能支持システムに接続することができる。ストラット１３２は、クラブヘッド本体１３と内部ウェイト１３０との間に延びており、ヒンジ１３６を介してクラブヘッド本体１３と内部ウェイト１３０の両方に対して旋回可能とすることができる。ストラット１３２は、ウェイト１３０が内部チャンバー２０内で調整されるにつれて、テレスコピック式で軸方向に伸張又は収縮するようになっている。この点に関して、ストラット１３２は、ピストンに似た衝撃吸収器として働くことができ、ストラット１３２の長さを伸張又は短縮するため十分な力が印加されるまで、ストラット１３２は所定の長さを維持する。ストラット１３２は、ウェイト１３０の調整性を規定するとともに、クラブヘッド本体とゴルフボールとのインパクト時に、ウェイト１３０の、もしあれば反動量を制限するため、制限された可動範囲を含むことができる。
【００３２】
弾性バンド１３４はまた、クラブヘッド本体１３と内部ウェイト１３０との間に延びていてよく、マウント１３８を介してクラブヘッド本体１３及び内部ウェイトに搭載される。弾性バンド１３４は、ウェイト１３０に偏倚力を加えるために引張られた状態で配置可能である。特に、弾性バンド１３４の長さが増加するにつれて、ウェイト１３０に与えられる偏倚力もまた増加する。逆に、弾性バンド１３４の長さが減少するにつれて、ウェイト１３０に与えられる偏倚力もまた減少する。弾性バンド１３４の包含は、オプションであり、弾性バンド１３４は、本発明の精神及び範囲から逸脱することなく省略することができる。
【００３３】
ゴルフクラブヘッド１１０は、調整機構を更に含み、調整機構は、ウェイト１３０が、ソール−クラウン方向、すなわち「Ｓ−Ｃ」、フェース−バック方向、すなわち「Ｆ−Ｂ」、及び全体的にフェースに沿う方向、例えばヒール−トウ方向、すなわち「Ｈ−Ｔ」に選択的に調整可能であることを可能にすることができる。一実施形態によれば、調整機構は、１つ又は複数のねじ１４０を含み、そのねじ１４０は、ねじ１４０を回転させるため、嵌合方式でスクリュードライバー又は他の調整ツールにかみ合うようになっている。各ねじ１４０は、シャフト１４２がねじ１４０によって回転するようにシャフト１４２に結合される。シャフト１４２の長さ及びクラブヘッド１１０内でのシャフト１４２の配置に応じて、シャフト１４２をジャーナル１４４によって支持することができる。各シャフト１４２はケーブル１４６に結合され、ケーブル１４６は同様にウェイト１３０に結合される。
【００３４】
使用時、ねじ１４０は、個々に回すことができ、それが、対応するケーブル１４６を巻付けるか又は巻戻し、ウェイト１３０の移動をもたらす。ゴルフクラブヘッド１１０は、内部チャンバー２０内でウェイト１３０の調整を最大にするため３つの離散的軸に沿ってウェイト１３０を調整するケーブル１４６を含むことができる。ストラット１３２及び弾性バンド１３４はまた、ウェイトの移動に応答して、それらのそれぞれの構成を調整して、内部チャンバー２０内で懸垂保持された所望の位置にウェイト１３０を全体として支持する。
【００３５】
図４及び図５に示すクラブヘッド１１０が、内部チャンバー２０内でウェイト１３０を支持するためにストラット１３２と弾性バンド１３４の両方を有するクラブヘッド１１０の一実施形態を示すが、クラブヘッド１１０の他の実施形態が、ウェイト１３０を支持するためにストラット１３２だけ又は弾性バンド１３４だけを使用することができることが企図されることが留意されるべきである。当然ながら、十分な耐久性及び引張り強度のばね（図示せず）を、弾性バンド１３４及び／又はストラット１３２とともに又はその代わりに使用することができる。
【００３６】
本開示の別の態様では、本明細書で述べる調整可能ウェイトは、フィッティング作業中に使用されて、ゴルフクラブを特定のプレーヤに対してカスタマイズすることができる。知られているように、プロゴルファー、世界最高位の人でさえ、例えば、スイング速度、アタック角度、ドロー又はフェードする傾向等を含む、異なりかつ独特の特性を有する。全てのゴルファーが経験するこれらの独特のスイング特性のために、個人化されたフィッティングが頻繁に使用されて、特定のゴルファーについて考えられる最良の「フィット（fit）」を達成しようとしてゴルファーをクラブに合わせる。
【００３７】
クラブヘッド速度、バックスピン、サイドスピン、打ち出し角度等を測定する「トラックマン（Trackman）」モニター、及び、アタック角度、スイング平面、スイング速度等を測定する「スイングバイト（Swingbyte）」センサーを含む種々のデバイスが、ゴルファーのスイング及び他の特性を確定するために知られている。ここで、フィッティング作業を通して得られるこれらの特性のうちの１つ又は複数を使用して、調整可能ウェイトを備えるフィッティング用クラブの重心を調整することが可能であり、調整可能ウェイトは、完全にフィッティング用クラブの中空内部チャンバー内に配置され、また、調整可能ウェイトの好ましい位置を確定するために、ソール−クラウン方向に、フェース−バック方向に、及び／又はフィッティング用クラブのフェースに沿う方向に調整可能である。
【００３８】
例えば、ゴルファーＡ用のドライバーについてのフィッティング作業中に、本明細書で述べるゴルフクラブヘッド１０を備えるフィッティング用クラブは、最初に、調整可能ウェイト３０を、「ニュートラル（neutral）」位置に位置決めすることができ、換言すれば、ポイントインジケーター７４、７６はＣＧポイントインジケーター７０、７１にそれぞれ実質的に整列する。その後、例えば、トラックマンローンチモニター、及び、こうしてニュートラルに位置決めされた、すなわち、クラブヘッド１０の重心ＣＧと整列した状態で位置決めされた（すなわち、クラブヘッド１０の重心は、調整可能ウェイト３０が設置されていないと仮定する）調整可能ウェイト３０を有するゴルフクラブヘッド１０を使用した、統計的に有意な数のスイングの後に、ゴルファーＡが、平均して、３０００ｒｐｍのスライスサイドスピン（slicing side spin）を経験すると判定することができる。フィッティングの専門家は、こうしたシナリオにおいて、図１に示すトウ−ヒール方向Ｔ−Ｈで、ヒールに向かって調整可能ウェイト３０を調整することを推奨することができ、それにより、図１及び図２のポイント７５に示す、結果として得られる重心ＣＧＲは、ドロー、又は少なくともわずかなスライスサイドスピンをもたらす可能性が高いヒール−ワード位置にシフトする。同じフィッティング作業は、代替的に又は更に、ゴルファーＡのスイングが過剰のバックスピン及び／又は高過ぎる打ち出し角度をもたらすという判定をもたらす場合があり、その判定は、調整可能ウェイト３０を、クラウン−ソール方向に下方に、また、バック−フェース方向に前方に調整し、図２のポイント７７として示す結果として得られるＣＧＲを、ポイント７１として示す元のＣＧに対して下方でかつ前方に移動させることによって補正することができる。
【００３９】
この手順（すなわち、複数回のスイングを実施し、そのスイングに基づいてボールフライトのパターンを確定し、結果として得られるボールフライトを補正しようとして調整可能ウェイトを調整する）は、フィッティング用クラブを使用してゴルファーＡについて結果として得られる重心ＣＧＲの最適位置が確定されるまで、繰返すことができる。こうした最適位置は、種々の視覚的目印６２、６４を参照して、又は、上記で述べた位置センサーを使用して記録することができる。この手順はまた、例えば、フィッティング用クラブ（図示せず）のゴルフクラブ１０内の取外し可能ポートカバーを通してウェイト３０にアクセスすることによって、異なる質量の調整可能ウェイト３０をスワップアウトすることを含むことができる。
【００４０】
上記で述べたようなフィッティング作業の結果として、調整可能クラブヘッドが実質的に述べられカスタマイズされた状態で、ゴルファーがフィッティング用スタジオから出ることができることが企図される。結果として得られる重心ＣＧＲのカスタマイズされた位置を、結果として得られるその重心ＣＧＲを有する調整可能又は調整不能ゴルフクラブを製造するために、ゴルフクラブ製造業者に通信することができることも本開示の一態様である。調整不能ゴルフクラブの場合、ウェイト３０は、例えば、ゴルフクラブヘッド１０の内壁にウェイト３０を永久的に固定することによって中空内部チャンバー内に位置決めすることができる。こうした永久的な固定は、例えば、ゴルフクラブヘッド１０の内壁に取付けられた１つ又は複数のストラットを使用して達成することができ、それにより、ストラットは、クラブの中空内部チャンバーに対して所定の位置にウェイト３０をブリッジすることができる。
【００４１】
本開示は、本発明の例示的な実施形態を提供する。本発明の範囲は、これらの例示的な実施形態によって制限されない。構造、寸法、材料のタイプ、及び製造プロセスの変形等の多数の変形を、本明細書によって明示的に提供されても、本明細書によって示唆されても、本開示を考慮して当業者によって実施することができる。例えば、図が１つの調整可能ウェイトだけを示すが、複数の調整可能ウェイトが、本明細書の教示に従ってゴルフクラブヘッド内に配置することができることが今や認識されるであろう。同様に、図面は、内部に配置される調整可能ウェイトだけを示すが、こうした調整可能ウェイトを、スライドするウェイト、ねじ山付きウェイト等を含む既知の外部の調整可能ウェイトとともに使用することができることが今や認識されるであろう。
【図１】
0006484528.tif 000002
【図２】
0006484528.tif 000003
【図３】
0006484528.tif 000004
【図４】
0006484528.tif 000005
【図５】
0006484528.tif 000006